(57)【特許請求の範囲】
【請求項１】
釣り糸を巻設し、巻下げ方向又は巻上げ方向に回転可能な回転ドラムと、該回転ドラムを駆動する駆動モータと、前記駆動モータの回転を前記回転ドラムに伝達する電磁クラッチとを備える魚釣り機において、
前記回転ドラムの回転数および回転方向を検出する回転検出器と、該回転検出器の検出結果に基づいて前記電磁クラッチを制御する制御部とを具備し、
前記制御部は、
前記回転検出器の出力信号から前記回転ドラムの回転数を算出する回転数算出手段と、
前記回転検出器の出力信号から前記回転ドラムの回転方向を判別する回転方向判別手段と、
前記回転方向判別手段により前記回転ドラムが巻下げ方向の回転になったと判断される場合、前記回転数算出手段から得られた回転数に基づいて、釣り糸にかかるテンションを所定値に保つために必要とされる前記電磁クラッチへの印加電圧の変更分を算出する印加電圧変更分算出手段と、
予め設定された印加電圧より前記印加電圧変更分算出手段により算出された印加電圧の変更分を増加または減少させて印加電圧を調整する印加電圧調整手段とを備え、
前記印加電圧変更分算出手段は、前記回転数算出手段から得られた回転数と該回転数に対応する所定の定数との積を前記電磁クラッチへの印加電圧の変更分として算出することを特徴とする魚釣り機。
【請求項２】
釣り糸を巻設し、巻下げ方向又は巻上げ方向に回転可能な回転ドラムと、該回転ドラムを駆動する駆動モータと、前記駆動モータの回転を前記回転ドラムに伝達する電磁クラッチと、前記回転ドラムの回転数および回転方向を検出する回転検出器とを備える魚釣り機の制御方法であって、
前記回転検出器の出力信号から前記回転ドラムの回転数を算出し、さらに前記回転ドラムの回転方向を判別し、
前記回転ドラムが巻下げ方向の逆回転になったと判断される場合、算出された回転数に基づいて、釣り糸にかかるテンションを所定値に保つために必要とされる前記電磁クラッチへの印加電圧の変更分を算出し、
算出された印加電圧の変更分を予め設定された印加電圧に加算または減算した印加電圧を前記電磁クラッチに印加して釣り糸にかかるテンションを所定値に保つよう制御するようになされ、
前記電磁クラッチへの印加電圧の変更分は、得られた回転数と該回転数に対応する所定の定数との積で算出されることを特徴とする魚釣り機の制御方法。
【発明の詳細な説明】
【技術分野】
【０００１】
本発明は、回転ドラムが巻下げ方向の回転になった場合、釣り糸にかかるテンションを所定値に保つために電磁クラッチへの印加電圧を制御して釣り糸の繰出量を必要以上に繰り出さないようにする魚釣り機およびその制御方法に関する。
【背景技術】
【０００２】
従来、魚釣り機、例えばマグロ釣り機は、釣り糸を海に繰出したあと、駆動モータは常に巻上げ方向に回転し、電磁クラッチへの印加電圧は一定に設定されているため、釣り糸にかかった負荷によって回転ドラムの回転数が変化する。釣り糸が魚により強くかつ速い速度で引っ張られると、回転ドラムが逆回転になる場合もある。
【０００３】
また、糸張力計測装置を具備する小型魚釣り用リールが提案されている（例えば、特許文献１参照）。
【０００４】
この場合、リール本体にスプール軸を介して回転可能に支持されたスプールと、該スプールにドラグ力を付与するドラグ装置と、釣竿にリール本体を着脱自在に支持するためのスタンド部とを具備する魚釣り用リールにおいて、スタンド部は、一方板と他方板とで二層板に構成され、一方板は前記リール本体に固着され、他方板は前記釣り竿に固着され且つ前記一方板とは摺動可能にされ、釣糸に与えられた張力を前記二層板間のたわみ量に変換するように設けたたわみ梁と、該たわみ梁にかかるたわみ量を計測する計測手段と、該たわみ量から前記二層板間にかかる力を演算する演算手段と、該演算手段で演算された糸張力値を表示する表示手段とで構成する。
【０００５】
スプールに巻かれた釣糸に対して、繰り出す方向に張力がかかると、スプールがその方向に引っ張られ、スタンド部の一方板が動かされ、たわみ梁がたわむようになる。そしてたわみ量を計測手段によって計測して、次に二層板間にかかる張力を演算手段によって演算する。演算値は表示手段によって表示されるので、釣り人はその表示値が釣糸の最大張力値内となるように、スタードラグを締め付けてリールを使用すれば良い。これにより、釣り人は勘に頼らずに有効な魚釣りができる。
【０００６】
【特許文献１】特開平８−２０５７２５号公報
【発明の開示】
【発明が解決しようとする課題】
【０００７】
しかし、マグロは食いが立ったときに迅速に海の深いところに潜入する習性があるため、従来のマグロ釣り機の場合は、釣り糸が魚により強くかつ速い速度で引っ張られたとき、回転ドラムが慣性により釣り糸を大量に繰り出し、釣り糸はたわみが形成する。この場合、船の走行により、またはマグロ等魚はさらに釣り糸を引っ張ると、瞬間的大きな張力がかけられ、釣り糸が切れ易くなり、魚が逃げられるリスクが発生するという問題があった。
【０００８】
また、特許文献１の場合、釣りの際に、釣り人は張力の表示値が釣糸の最大張力値内となるように、スタードラグを締め付ける必要があるため、上述したようなマグロ等魚を釣る場合には、適用できない。
【０００９】
そこで、この発明は、回転ドラムが巻下げ方向の回転になった場合、釣り糸にかかるテンションを所定値に保つために電磁クラッチへの印加電圧を制御して釣り糸の繰出量を必要以上に繰り出すことを防止できる魚釣り機およびその制御方法を提供することを目的とする。
【課題を解決するための手段】
【００１０】
本発明に係る魚釣り機は、釣り糸を巻設し、巻下げ方向又は巻上げ方向に回転可能な回転ドラムと、該回転ドラムを駆動する駆動モータと、前記駆動モータの回転を前記回転ドラムに伝達する電磁クラッチとを備える魚釣り機において、前記回転ドラムの回転数および回転方向を検出する回転検出器と、該回転検出器の検出結果に基づいて前記電磁クラッチを制御する制御部とを具備し、前記制御部は、前記回転検出器の出力信号から前記回転ドラムの回転数を算出する回転数算出手段と、前記回転検出器の出力信号から前記回転ドラムの回転方向を判別する回転方向判別手段と、前記回転方向判別手段により前記回転ドラムが巻下げ方向の回転になったと判断される場合、前記回転数算出手段から得られた回転数に基づいて、釣り糸にかかるテンションを所定値に保つために必要とされる前記電磁クラッチへの印加電圧の変更分を算出する印加電圧変更分算出手段と、予め設定された印加電圧より前記印加電圧変更分算出手段により算出された印加電圧の変更分を増加または減少させて印加電圧を調整する印加電圧調整手段とを備えるものである。
【００１１】
例えば、前記印加電圧変更分算出手段は、前記回転数算出手段から得られた回転数と該回転数に対応する所定の定数との積を前記電磁クラッチへの印加電圧の変更分として算出するようになされる。
【００１２】
また、本発明に係る魚釣り機の制御方法は、釣り糸を巻設し、巻下げ方向又は巻上げ方向に回転可能な回転ドラムと、該回転ドラムを駆動する駆動モータと、前記駆動モータの回転を前記回転ドラムに伝達する電磁クラッチと、前記回転ドラムの回転数および回転方向を検出する回転検出器とを備える魚釣り機の制御方法であって、前記回転検出器の出力信号から前記回転ドラムの回転数を算出し、さらに前記回転ドラムの回転方向を判別し、前記回転ドラムが巻下げ方向の逆回転になったと判断される場合、算出された回転数に基づいて、釣り糸にかかるテンションを所定値に保つために必要とされる前記電磁クラッチへの印加電圧の変更分を算出し、算出された印加電圧の変更分を予め設定された印加電圧に加算または減算した印加電圧を前記電磁クラッチに印加して釣り糸にかかるテンションを所定値に保つよう制御することを特徴とする。
【００１３】
例えば、前記電磁クラッチへの印加電圧の変更分は、得られた回転数と該回転数に対応する所定の定数との積で算出される。
【００１４】
本発明においては、釣りをする際に制御部は、回転検出器の出力信号から回転ドラムの回転数を算出し、さらに回転ドラムの回転方向を判別し、回転ドラムが巻下げ方向の回転（逆回転）になったと判断される場合、算出された回転数に基づいて、釣り糸にかかるテンションを所定値に保つために必要とされる電磁クラッチへの印加電圧の変更分を算出し、算出された印加電圧の変更分を予め設定された印加電圧に加算または減算した印加電圧を電磁クラッチに印加して釣り糸にかかるテンションを所定値に保つよう制御するようになされる。
【００１５】
これにより、釣りの際に釣り糸が魚により引っ張られた場合、即ち回転ドラムが巻下げ方向の回転（逆回転）になった場合、釣り糸にかかるテンションを所定値に保つために電磁クラッチへの印加電圧を制御して釣り糸の繰出量を必要以上に繰り出すことを防止することが可能となる。そのため、釣り糸切れにより魚が逃げられるリスクをなくすことが可能となる。
【００１６】
また、回転検出器の出力信号から回転ドラムの回転方向を検出する方法を用いるため、簡単な構成でき、低コストを図ることが可能となる。
【発明の効果】
【００１７】
本発明によれば、釣りの際に釣り糸が魚により引っ張られた場合、即ち回転ドラムが巻下げ方向の回転（逆回転）になった場合、釣り糸の繰出量を必要以上に繰り出すことを防止することができる。また、回転検出器の出力信号から回転ドラムの回転方向を検出する方法を用いるため、簡単な構成でき、低コストを図ることができる。
【発明を実施するための最良の形態】
【００１８】
以下、図面を参照しながら、本発明の実施の形態の魚釣り機およびその制御方法について説明する。
図１は、実施の形態としての魚釣り機の構成を示す図である。図２は、魚釣り機１００の各軸間の位置関係を示すＡ−Ａ断面図である。この図２において回転ドラム６０、リング５およびローラ６を省略した場合を示している。また、図３は、魚釣り機１００の設置状態を示す図である。また、図４は、魚釣り機１００の制御系を示すブロック図である。
【００１９】
図１乃至図３に示すように、釣り機１００は、本体ケース１に配置された駆動モータ１０と、駆動モータの回転を伝達する電磁クラッチ２０と、回転検出器としてのエンコーダ３０と、制御部４０と、ドラム取付軸５０と、回転ドラム６０とから構成されている。
【００２０】
本体ケース１は、船に取り付けるための取付ベース２、回動可能な固定具３、締め付けレバー４が設けられている。また、本体ケース１の下部に駆動モータ１０が設置され、該駆動モータ１０の駆動力が変速装置１０ａを経由し、チェーン１１を介して電磁クラッチ２０の入力軸に伝達される。電磁クラッチ２０の出力軸は、チェーン２１によりドラム取付軸５０に連結されている。また、釣り糸６１が巻かれた回転ドラム６０はドラム取付軸５０に固定されている。また、釣り糸６１はリング５とローラ６を介して海に繰り出すようになされている。さらに、電磁クラッチ２０の出力軸は、チェーン３１によりエンコーダ３０の入力軸に連結されている。
【００２１】
電磁クラッチ２０は、例えばパウダークラッチが用いられている。この電磁クラッチ２０は、駆動側と被駆動側の回転子の間に細かな鉄粉を充填してあり、回転子の部分は外部から電磁石によって磁化することができるようになっている。クラッチが切れた状態では回転子同士は接触していないため動力の伝達は行われないが、回転子が磁化されると回転子の間隙にパウダー（細かな鉄粉）が吸い寄せられ間隙を埋めて動力を伝達する仕組みである。このタイプのクラッチでは磁力を調節することで伝達するトルクを細かく制御できる。なお、電磁クラッチ２０は、パウダークラッチに限定されるものではない。
【００２２】
エンコーダ３０は、回転ドラム６０の回転数および回転方向を検出する回転検出器としてのロータリエンコーダである。エンコーダ３０の出力信号に基づいて、回転ドラム６０の回転数を算出することができ、また回転ドラム６０の回転方向を検出し、判別することができる。
【００２３】
制御部４０は、釣り機１００の動作を制御するものである。図３に示すように、制御部４０は、入力手段４１と、表示手段４２と、ＣＰＵ４３と、ＲＯＭ４４と、ＲＡＭ４５と、回転数算出手段４６と、回転方向判別手段４７と、印加電圧変更分算出手段４８と、印加電圧調整手段４９とを備えている。
【００２４】
図４に示すように、エンコーダ３０の出力信号は、回転数算出手段４６と回転方向判別手段４７に供給される。また、印加電圧調整手段４９より調整された印加電圧を電磁クラッチ２０に印加される。
【００２５】
また、入力手段４１を介して、釣り糸を海に繰出したあと、釣り糸には常に一定のテンションがかかっているように回転ドラム６０を常に正回転方向に駆動する電磁クラッチ２０への印加電圧の初期設定値等を入力することができる。なお、釣り糸にかかるテンションは水深により異なるので、印加電圧の初期設定値は釣り糸には常に所定のテンションがかかっているように設定される。また、表示手段４２は、動作状態、および初期設定値等を表示することができる。
【００２６】
回転数算出手段４６は、エンコーダ３０の出力信号に基づいて、回転ドラム６０の回転数を算出するようになされる。また回転方向判別手段４７は、エンコーダ３０の出力信号に基づいて、回転ドラム６０が巻上げ方向の回転（正回転）か巻下げ方向の回転（逆回転）かを判別するようになされる。
【００２７】
また、印加電圧変更分算出手段４８は、回転ドラム６０が逆回転になったと判断される場合、得られた回転数に基づいて、釣り糸にかかるテンションを所定値に保つために必要とされる電磁クラッチ２０への印加電圧の変更分を算出するようになされる。例えば、印加電圧変更分算出手段４８は、回転数算出手段４６から得られた回転数と該回転数に対応する所定の定数との積を電磁クラッチ２０への印加電圧の変更分として算出するようになされる。
【００２８】
また、印加電圧調整手段４９は、予め設定された電磁クラッチ２０を駆動するための電圧設定値（または巻上力設定値）に印加電圧変更分算出手段４８により算出された印加電圧の変更分を予め設定された印加電圧に加算または減算した印加電圧を電磁クラッチ２０に印加するようになされる。
【００２９】
次に、図面を参照しながら、魚釣り機の制御方法について説明する。図５は、魚釣り機１００の巻き取り駆動制御動作を示すフローチャートである。
【００３０】
釣りをする際に、図５に示すように、まず、ステップＳ１で、モータ駆動を開始する。ここで、釣り糸６１を海に繰出したあと、駆動モータは常に巻上げ方向に回転する。
【００３１】
次に、ステップＳ２で、回転ドラム２０の回転数を算出する。ここで、回転数算出手段４６は、エンコーダ３０の出力信号に基づいて、回転ドラム２０の回転数を算出する。
【００３２】
次に、ステップＳ３で、回転ドラム２０の回転方向は正回転か逆回転かを判断する。ここで、回転方向判別手段４７は、エンコーダ３０の出力信号に基づいて、回転ドラム２０の回転方向を判断する。回転ドラム２０の回転方向は巻上げ方向の回転（正回転）であると判断された場合には、ステップＳ４へ進む。
【００３３】
ステップＳ４で、電磁クラッチ２０への印加電圧の初期設定値で動作するように電圧クラッチ２０を制御する。次に、ステップＳ７へ進む。
【００３４】
一方、ステップＳ３で、回転ドラム２０の回転方向は巻下げ方向の回転（逆回転）になったと判断される場合には、ステップＳ５へ進む。ステップＳ５で、回転数算出手段４６により算出された回転数に基づいて、釣り糸６１にかかるテンションを所定値に保つために必要とされる電磁クラッチ２０への印加電圧の変更分を算出する。例えば、印加電圧変更分＝回転数×定数（Ｙ）にて算出する。ここで、定数（Ｙ）は、予め決められた、回転数に対応する所定の定数（例えば割合を示す定数）である。
【００３５】
次に、ステップＳ６で、予め設定された電磁クラッチ２０を駆動するための印加電圧設定値に印加電圧変更分算出手段４８により算出された印加電圧変更分を加算または減算した印加電圧を電磁クラッチ２０に印加する。例えば、電磁クラッチ２０への印加電圧＝印加電圧設定値＋／−印加電圧変更分。これにより、釣り糸６１の繰出量を抑制し、釣り糸６１のたわみ形成を回避することができる。
【００３６】
そして、ステップＳ７で、巻き取り駆動を終了するか否かを判断する。ここで、巻き取り駆動を終了すると判断された場合には、制御動作を終了する。一方、巻き取り駆動を終了しないと判断された場合には、ステップＳ２に戻り、上述した動作を繰り返す。
【００３７】
なお、ステップＳ３で、回転ドラム２０の回転方向は正回転であると判断された場合に、釣った魚が急に船に近づく等により釣り糸６１にかかるテンションが変化するとき、上述した逆回転の場合と同様に電磁クラッチ２０への印加電圧を調整して制御するようにしてもよい。
【００３８】
このように本実施の形態においては、魚釣り機１００は、本体ケース１に配置された駆動モータ１０と、電磁クラッチ２０と、エンコーダ３０と、制御部４０と、ドラム取付軸５０と、回転ドラム６０とから構成され、制御部４０は、入力手段４１と、表示手段４２と、ＣＰＵ４３と、ＲＯＭ４４と、ＲＡＭ４５と、回転数算出手段４６と、回転方向判別手段４７と、印加電圧変更分算出手段４８と、印加電圧調整手段４９とを備えている。釣りをする際に、エンコーダ３０の出力信号から回転ドラム６０の回転数を算出し、さらに回転ドラム６０の回転方向を判別し、回転ドラム６０が巻下げ方向の回転（逆回転）になったと判断される場合、算出された回転数に基づいて、釣り糸６１にかかるテンションを所定値に保つために必要とされる電磁クラッチ２０への印加電圧の変更分を算出し、算出された印加電圧の変更分を予め設定された印加電圧に加算または減算した印加電圧を電磁クラッチ２０に印加して釣り糸６１にかかるテンションを所定値に保つよう制御する。
【００３９】
これにより、回転ドラムが巻下げ方向の逆回転になった場合、例えば釣りの際に釣り糸が魚により引っ張られた場合、電磁クラッチへの印加電圧を自動的に制御して釣り糸の繰出量を必要以上に繰り出すことを防止することができる。そのため、釣り糸切れにより魚が逃げられるリスクをなくすことができる。
【００４０】
また、回転検出器の出力信号から回転ドラムの回転方向を検出する方法を用いるため、簡単な構成でき、低コストを図ることができる。
【００４１】
なお、上述実施の形態においては、自動的に印加電圧の変更分を予め設定された印加電圧に加算または減算した印加電圧を電磁クラッチ２０に印加して釣り糸６１にかかるテンションを所定値に保つよう制御するものについて説明したが、これに限定されるものではない。例えば、算出された印加電圧の変更分を表示部４２に表示し、これに基づいて手動で電磁クラッチ２０への印加電圧を増加または減少させて調整するようにしてもよい。
【００４２】
また、上述実施の形態において、回転数に基づいて、印加電圧変更分算出手段４８により電磁クラッチ２０への印加電圧変更分を算出し、電磁クラッチ２０を制御する方法について説明したが、これに限定されるものではない。例えば、釣り糸の張力を測定して、得られた張力に基づいて、印加電圧変更分算出手段４８により電磁クラッチ２０への印加電圧変更分を算出し、電磁クラッチ２０を制御するようにしてもよい。
【産業上の利用可能性】
【００４３】
この発明は、マグロ等の釣り機において、魚により引っ張られた場合、電磁クラッチへの印加電圧を手動または自動的に制御して釣り糸の繰出量を必要以上に繰り出すことを防止する目的に利用できる。
【図面の簡単な説明】
【００４４】
【図１】実施の形態の魚釣り機の構成例を示す図である。
【図２】魚釣り機１００の各軸間の位置関係を示す図である。
【図３】魚釣り機１００の設置状態を示す図である。
【図４】魚釣り機１００の制御系を示すブロック図である。
【図５】魚釣り機１００の巻き取り駆動制御動作を示すフローチャートである。
【符号の説明】
【００４５】
１  本体ケース
２  取付ベース
１０  駆動モータ
１０ａ  変速装置
１１，２１，３１  チェーン
２０  パウダークラッチ
３０  エンコーダ
４０  制御部
４１  入力手段
４２  表示手段
４３  ＣＰＵ
４４  ＲＯＭ
４５  ＲＡＭ
４６  回転数算出手段
４７  回転方向判別手段
４８  電圧増加分算出手段
４９  印加電圧調整手段
５０  ドラム取付軸
６０  回転ドラム
６１  釣り糸
１００  魚釣り機
【図１】
0004584108.tif 000002
【図２】
0004584108.tif 000003
【図３】
0004584108.tif 000004
【図４】
0004584108.tif 000005
【図５】
0004584108.tif 000006